(57)【要約】　　　（修正有）【課題】作業合理化，省力化のためのビル内分別じん芥集積処理システムを提供する。【解決手段】ビル１の各階に配備された回収容器２は走行手段を具備すると共に、じん芥の分別表示のデータ記録媒体を備えている。回収容器を、搬送手段５，７間で移載、積降し機構を備え、所定のじん芥集積場所６と各階間で回収容器を垂直搬送し、各階の積み降し口に設けた回収容器移載セット部４を経由して、じん芥集積場所に運ばれる。分別じん芥の種類に対応して水平搬送の複数個配設された回収容器を保持して反転させ、じん芥を排出する。反転手段９の下に各分別じん芥ごとの集積容器１０を備え、作業員が各階でじん芥回収容器を移載セット部にセットすると、各回収容器が自動的に垂直搬送、水平搬送され、反転されて各回収容器内の分別じん芥が夫々の集積容器に自動的に収容され、空の回収容器は夫々の元の階の移載セット部に戻される。【選択図】　　図１
2004026329.tif 000002
【特許請求の範囲】
【請求項１】
じん芥を分別して回収するためオフィスビルの各階に配備される回収容器であってこの容器はキャスタ等の走行手段を具備すると共に、じん芥の分別を視覚的に表示する分別表示とこの表示内容を含み所属階などのデータを読取可能に記録した記録媒体とを具備した複数のじん芥回収容器、
前記ビルの各階ごとに配置された回収容器を、垂直搬送手段との間、並びに、水平搬送手段との間で、それぞれ移載するための積降し機構を具備し、当該ビルの所定箇所に設定されたじん芥集積場所と各階の間で前記回収容器を垂直方向で搬送する垂直搬送手段、
前記ビルの各階において前記垂直搬送手段へ前記回収容器を積み降ろしするため各階の垂直搬送手段への積み降し口に設けた回収容器の移載セット部、
前記回収容器ごとにじん芥を集積するためのじん芥集積場所に設置されると共に前記垂直搬送手段との間で回収容器が移載される水平搬送手段、
分別じん芥の種類に対応して前記水平搬送手段の中に複数個が配設された前記回収容器を保持して反転させ、保持した容器に収容されているじん芥を排出する反転手段、
前記反転手段の下に各分別じん芥ごとに配置された分別じん芥の集積容器を備え、作業員が前記ビルの各階において分別されたじん芥回収容器を各階の移載セット部にセットすると、各回収容器が自動的に垂直搬送、並びに、水平搬送され、かつ、前記反転手段の動作により各回収容器内の分別じん芥が夫々の集積容器に自動的に収容される一方、空になった各回収容器がそれらが帰属する元の階の移載セット部に自動的に戻されるようにしたことを特徴とするオフィスビルなどのビル内に出るじん芥の分別集積処理システム。
【請求項２】
垂直搬送手段の積降し機構は、各階の移載セット部と垂直搬送手段のカゴの間で回収容器を移載するため、回収容器を下から支える進退自在のテーブルにより形成した請求項１のオフィスビルなどのビル内に出るじん芥の分別集積処理システム。
【請求項３】
垂直搬送手段の積降し機構は、その垂直搬送手段のカゴと水平搬送手段の間で回収容器を移載するため、回収容器を下から支える昇降自在のコンベアにより形成した請求項１のオフィスビルなどのビル内に出るじん芥の分別集積処理システム。
【請求項４】
各階の移載セット部には、各回収容器の運行状態を見るための監視盤を設けた請求項１〜３のいずれかに記載したオフィスビルなどのビル内に出るじん芥の分別集積処理システム。
【発明の詳細な説明】
【０００１】
【発明の属する技術分野】
本発明はオフィスビル内で日々に多量に発生する各種の紙系廃棄物、或は、プラスチック系廃棄物などの各種じん芥であって各階ごとに分別収集されるじん芥を、そのビルの特定場所に集積し、分別集積したじん芥ごとにリサイクル工場や焼却処分場などの最終処理場に搬出する作業を、省力的かつ合理的に行うことを可能にする分別じん芥の集積処理システムに関する。
【０００２】
【従来の技術】
従来から、オフィスビルなどで日々に発生する各種のじん芥は、各階ごとに分別して収集し、分別されたじん芥を一箇所に集積して各分別じん芥ごとに取りまとめ最終処分場へ搬出されることが行われている。しかし、従来の作業は、各階ごとに分別収集したじん芥を収容した分別収集容器を、人手によりエレベータ等に乗せて垂直搬送し、ビルの地下等に設置されたじん芥集積場所まで運搬車などを使って水平搬送し、そこで搬出用のコンテナ等に分別して積込む作業形態であるため、各所での移載は大半が人手による作業によって行われているのが現状である。
【０００３】
上記のような専ら人手による分別じん芥の収集作業や集積作業、或は、コンテナ等への積込み作業では、多数の人手を必要とするのみならず、この作業に従事する者に結果的に過度な労働を強いているのが現状である。
【０００４】
【発明が解決しようとする課題】
本発明はオフィスビルにおける上記のようなじん芥の分別収集等の作業の現状に鑑み、じん芥を分別収集する等の一連の作業の合理化，省力化を可能にする主としてオフィスビル内の分別じん芥の集積処理システムを提供することを、その課題とするものである。
【０００５】
【課題を解決するための手段】
上記課題を解決することを目的としてなされた本発明じん芥分別処理システムの構成は、じん芥を分別して回収するためオフィスビルの各階に配備される回収容器であってこの容器はキャスタ等の走行手段を具備すると共に、じん芥の分別を視覚的に表示する分別表示とこの表示内容を含み所属階などのデータを読取可能に記録した記録媒体とを具備した複数のじん芥回収容器、前記ビルの各階ごとに配置された回収容器を、垂直搬送手段との間、並びに、水平搬送手段との間で、それぞれ移載するための積降し機構を具備し、当該ビルの所定箇所に設定されたじん芥集積場所と各階の間で前記回収容器を垂直方向で搬送する垂直搬送手段、前記ビルの各階において前記垂直搬送手段へ前記回収容器を積み降ろしするため各階の垂直搬送手段への積み降し口に設けた回収容器の移載セット部、前記回収容器ごとにじん芥を集積するためのじん芥集積場所に設置されると共に前記垂直搬送手段との間で回収容器が移載される水平搬送手段、分別じん芥の種類に対応して前記水平搬送手段の中に複数個が配設された前記回収容器を保持して反転させ、保持した容器に収容されているじん芥を排出する反転手段、前記反転手段の下に各分別じん芥ごとに配置された分別じん芥の集積容器を備え、作業員が前記ビルの各階において分別されたじん芥回収容器を各階の移載セット部にセットすると、各回収容器が自動的に垂直搬送、並びに、水平搬送され、かつ、前記反転手段の動作により各回収容器内の分別じん芥が夫々の集積容器に自動的に収容される一方、空になった各回収容器がそれらが帰属する元の階の移載セット部に自動的に戻されるようにしたことを特徴とするものである。
【０００６】
【発明の実施の形態】
次に本発明システムの実施の形態例について図を参照しつつ説明する。図１は本発明分別じん芥の集積処理システムの適用例を模式的に示した側面図、図２は図１の本発明システムの動作を説明するための動作フロー図、図３は本発明システムに用いる分別じん芥の回収容器の一例の左半部を断面にした正面図、図４は図３の回収容器の移載セット部の平面図、図５は垂直搬送手段におけるカゴの概要を示す正面図、図６は図５のカゴにおける積卸し機構を示す平面図、図７は反転手段の一例の側面図、図８は図７の反転手段の正面図、図９は専用反転手段の側面図である。
【０００７】
図１において、１は、例えば少なくとも１０階建程度或はそれ以上の階層から成るオフィスビルで、各階のフロアには、各階で出る紙系，プラスチック系などの様々な廃棄物を分別して回収するための複数個の分別回収容器２（以下、単に、回収容器２という）が、各階の適宜場所に設定されたいわゆる「ゴミ置場」３に配置されている。図１では、便宜上、各階に２個の回収容器２を示しているが、各階の回収容器２の設置数は、少なくとも分別されるじん芥の種類と同じ数が配置される。
【０００８】
各回収容器２は、図３に例示するように、下部にロック付きのキャスタ２ａを設けた台車２ｂの上に篭枠状のフレーム２ｃが立設され、このフレーム２ｃに、帆布製などの袋状容器２ｄを支持させて手押しカート状に形成されている。前記フレーム２ｃの上部は手押し操作用のハンドルを兼用し、また、フレーム２ｃには、その目立つ場所にじん芥の種類を示す視覚的表示、例えば、着色ラベル２ｅが貼着されていると共に、当該フレーム２ｃの外面に、この収集容器２に収容されるじん芥の種類やこの容器２の帰属階などのデータが読取り可能に記録されたデータ部２ｆが設けられている。なお、台車２ｂの左，右側には後述するフォークの挿込み穴２ｇが形成され、ほぼ中央部には後述する進退テーブル５１ａに設けた係止ピン５１ｂの嵌入用のピン穴２ｈが形成されている。また、前記分別されるじん芥の種類は、一例として、雑誌，新聞，缶，ビン，プラスチック，再生紙，細断処理紙，厨芥などに分けているが、どのような分別内容とするかは、再生可能性や再生形態、或は、最終処理形態などを考慮して任意に決めればよい。
【０００９】
４は、前記ビル１の各階フロアにおいて、後に説明するエレベータ式の垂直搬送手段５が配設された場所に設けられた移載セット部である。移載セット部４は、図４にその平面形態を略示するように、回収容器２の台車２ｂを左右側面から支持案内する左右一組の側面ガイド４ａ，４ａと、前記台車２ｂのキャスタ２ａを案内する左右一組の溝状レール４ｂ，４ｂと、該キャスタ２ａのロック，アンロックを検知するセンサ（図に表われず）と、回収容器２のセット時の位置決め手段４ｃと、セット状態の当否を表示するパイロットランプ４ｄと、ガイドローラ４ｅなどを具備して形成されている。なお、このセット部４は回収容器２を２台縦列してセットできる長さに形成されているが、１台セット形式とするか２台セット形式とするか、或は、それ以上のセット形式にするかは、後に述べる垂直搬送手段５の構造，機能との整合がとれれば任意に設計できる。
【００１０】
ビルの各階における回収容器２は上記の移載セット部４に位置決めしてセットし、垂直搬送手段５をこの階のセット部４に呼出すと、この搬送手段５への積み降しの際に開閉される扉５ｃと、この扉５ｃと連動するこのセット部４の扉４１とが開けられ、このセット部４にセットされている回収容器２が、この搬送手段５に設けられている移載セット部４との間の第一の積降し機構５１によってこの搬送手段５に積込まれる。この垂直搬送手段５について、次に説明する。
【００１１】
上記の垂直搬送手段５は、図５，図６に要部の概要を例示するように、縦長の篭枠状をなすフレーム５Ｆに天井，側壁，底部を設けて形成したカゴ５ａの下方に、回収容器２を積み降し（移載）するための第一と第二の積降し機構５１と５２を具備している。この第一，第二の積降し機構５１，５２のうち、第一の積降し機構５１は、次の基本的構成と作用を有しているので、説明する。
【００１２】
移載セット部４との間で回収容器２の積降しをする第一の積降し機構５１は、図５，図６に示すように、移載セット部４へセットされている回収容器２の台車２ｂの底板の下にこの搬送手段５のカゴ５ａの底部として形成された進出する進退テーブル５１ａと、進退テーブル５１ａに上下方向に出没自在に設けられていて、台車２ｂに設けられたピン穴２ｈに嵌まる係止ピン５１ｂを基本要素として形成されている。なお、図６に示した進退テーブル５１ａは、２台の回収容器２に対応するため、２台分の伸縮構造としているが、１台の回収容器２に対応する伸縮構造は短かいストロークのもので良い。
【００１３】
各階の移載セット部４にセットされた回収容器２は、垂直搬送手段５のカゴ５ａに設けられた第一の積降し機構５１における進退テーブル５１ａが台車２ｂの底板の下に進出してピン５１ｂを突出させ、このピン５１ｂが台車２ｂのピン穴２ｈに嵌合すると、この状態で前記テーブル５１ａをカゴ５ａの内部に後退させることにより、回収容器２がカゴ５ａの内部に引込まれて積込まれる。このようにしてカゴ５ａに積込まれている回収容器２は、第一の積降し機構５１が上記とは逆順の動作をして空の回収容器２を移載セット部４に降ろす。なお、５ｂは、回収容器２におけるキャスタ２ａを案内するため、カゴ５ａにおいて前記テーブル５１ａの両外側に設けたレール状の受溝である。
【００１４】
一方、上記のようにして垂直搬送手段５のカゴ５ａに積込まれたじん芥を収容した回収容器２は、ビル内に設置されたじん芥集積場所６の階に垂直搬送されて水平搬送手段７に移載される。このための移載手段となる第二の積降し機構５２が、前記搬送手段５のカゴ５ａに設けられているので、次に第二の積降し機構５２について説明する。
【００１５】
前記垂直搬送手段５の第一の積降し機構５１における伸縮テーブル５１ａの左右両脇には、前記テーブル５１ａの進退機構を含むテーブルベース部５１ｃの下に配置された昇降機構を含むリフタベース部５２ａに支持されて昇降自在に設けられた左，右を一組とするチェーンコンベア５２ｂが２組縦列して配置され、このリフタベース部５２ａと２組の昇降コンベア５２ｂを基本要素として第二の積降し機構５２が形成されている。なお、昇降コンベア５２ｂは、図示した例ではカゴ５ａの出入口に対して２組が縦列して設けられ、２台の回収容器２の積降しに対応できるようにしているが、垂直搬送手段５が回収容器２の１台に対応する構造の場合には、前記コンベア５２ｂは一組を設ければ足りる。
【００１６】
第一の積降し機構５１によってカゴ５ａに積込まれた回収容器２を、じん芥集積場所６において水平搬送手段７に移載するには、リフタベース部５２ａの昇降機構を上昇させて、コンベア５２ｂを上昇させることにより、回収容器２をその台車２ｂの下面から支えて持上げ、台車２ｂのキャスタ２ａをカゴ５ａ内に設けたキャスタ受溝５ｂから浮上させると共に、上昇したコンベア５２ｂの水平レベルを水平搬送手段７におけるコンベアの水平レベルに合せる。このコンベア５２ｂの上昇状態で当該コンベア５２ｂを荷降し側（図６の上方）へ作動させて、コンベア５２ｂで持上げている回収容器２を、その台車２ｂにおいて水平搬送手段７のコンベアへ引き渡すことにより、荷降し移載を終える。
【００１７】
一方、水平搬送手段７のコンベアから空になった回収容器２をカゴ５ａに積込む場合は、第二の積降し機構５２の昇降コンベア５２ｂを上昇させてその水平レベルを水平搬送手段６のコンベアと合せておき、上昇させた当該コンベア５２ｂを上記とは逆方向に作動させて空容器２をカゴ５ａ内に引き込み、このコンベア５２ｂを降下させて空の容器２を垂直搬送手段５のカゴ５ａに帰還用のセットをする。帰還用のセットにおいては、カゴ５ａ内に引き込まれて位置決めされた回収容器のピン穴２ｈに、第一の積降し機構５１の進退テーブル５１ａのピン５１ｂが入ることによりなされる。
【００１８】
上記のようにしてカゴ５ａとの間で回収容器２の移載が行われる水平搬送手段７の搬送路の途中には、少なくとも分別じん芥の種類の数だけ回収容器２を固定して保持し、当該容器２を反転させてこの容器２の中のじん芥を分別じん芥ごとに設置された集積容器１０に投入するため手段として、回収容器２をそこで固定保持した上で反転させる反転手段９が配備されている。なお、水平搬送手段７は、駆動タイプのローラコンベアや、フリーローラを挟んで配置された駆動形のチェーンコンベアなど、適宜の水平搬送手段により形成されていれば足りる。また、本発明においては反転手段９を分別じん芥の種類数よりも少なく設け、例えば２種類の分別じん芥に対応した２つの集積容器１０，１０に対して振分けシュータなどを一つの反転手段９の下に設けることにより、各じん芥を分別して集積する形態を採ることもある。
【００１９】
反転手段９は、一例として、図７，図８に例示するように、回収容器２の台車２ｂの底面を支持するための短か目のローラコンベア９ａ［なお、このコンベア９ａは水平搬送手段７の他のコンベア（図８に二点鎖線で示し符号７を付けている）と同じ水平レベルにある］を上面に具備した機台９ｂに、台車２ｂの２本のフォーク挿込穴２ｇの両端部に先端側が夫々に係止される４本の固定フック９ｃをシリンダで起伏自在にして設け、この機台９ｂの下部に、水平搬送手段７の固定フレームＦに旋回自在に支持された旋回軸９ｄを具備して形成されている。９ｅは前記軸９ｄの回転を駆動するモータ等による駆動部である。
【００２０】
水平搬送手段７は、図１に示した実施例では、上位搬送手段７ａと下位搬送手段７ｂと、上位，下位の搬送手段７ａ，７ｂを接続する２本の昇降装置１１ａと１１ｂを具備して形成され、その搬送路の適宜位置に分別じん芥の種類数に対応した反転手段９が配置されている。搬送されて来る回収容器２の水平搬送手段７における取扱いは、例えば、容量の多い処理紙や茶殻などの芥類の場合には上位搬送手段７ａから昇降装置１１ａを経由して下位搬送手段７ｂに送り、この搬送路に接して配置されているクローズドコンテナ１２に、このコンテナ１２の脇に設けられた専用反転機１３を作動させて回収容器２内のじん芥を投入する。
【００２１】
一方、専用反転機１３としては、一例として図９に例示した形態のものを用いることができる。即ち、ローラコンベアで搬送されて来た回収容器２はその台車２ｂのフォーク挿込穴２ｇに、反転ヘッド１３ａの前面に設けられたＬ字状のフォーク１３ｂが入って支持され、前記反転ヘッド１３ａを軸１３ｃで回転可能に支持したチェーン式の昇降ブロック１３ｄの上昇によって支柱状フレーム１３ｆに沿って上昇させられたとき、前記反転ヘッド１３ａのガイド部１３ｅが反転ガイド１３ｇに案内されて当該ヘッド１３ａを大略３００度程度、図９の時計回り側に旋回させることにより、この容器２内のじん芥をクローズドコンテナ１２に投入するように形成されている。なお、１２ａは上記コンテナ１２の上部に配置された投入用ホッパーである。
【００２２】
なお、クローズドコンテナ１２には圧縮機１４が具備されており、専用反転機１３から投入されるじん芥を圧縮しつつコンテナ１２の内奥に逐次詰め込む。また、クローズドコンテナ１２には、収容されるじん芥の量を検出し、いっぱいになったら信号を出力するいわゆる満杯センサ（図示せず）が設けられており、この信号が検出されると、このコンテナ１２に対面した専用反転機１３はその反転動作ができないように保持される。
【００２３】
一方、上記処理紙や茶殻以外の再生利用対象となる雑誌や新聞等の紙系のじん芥，缶やビン，プラスチックなどじん芥は、夫々のじん芥のために上位搬送手段７ａの下に配置された個別の集積容器１０に対して搬送され、各集積容器１０に対応して搬送路上に配置された反転手段９の反転動作によって投入される。各集積容器１０にも、いわゆる満杯センサ（図示せず）が設けられており、当該容器１０が満杯になると信号を出力して前記反転手段９を、その反転動作ができないように保持する。
【００２４】
１５は再生紙専用の集積容器として配置されたオープンコンテナで、再生紙のみを回収した回収容器２を上位搬送手段７ａの反転手段９からこのコンテナ１５に投入して集積する。このオープンコンテナ１５にも上記クローズドコンテナ１２や集積容器１０と同趣旨の満杯センサ（図示せず）が設けられており、このセンサがオンする、つまり、満杯信号が出力されると、作業員がこのコンテナ１５を空のものと取替える。なお、１５ａはこのオープンコンテナ１５に付設した傾斜コンベアで、このコンテナ１５へ回収再生紙が投入されるとき、それを飛散させずに円滑に行うためのものである。
【００２５】
本発明システムにおいて、紙系の廃棄物を、一例として雑誌，新聞，再生紙に分別して収集するのは、この集積段階で回収した紙のグレード（種類）を予め区分して回収することにより、各紙の再生工程での前処理（種類分け）の手間を省くためである。
【００２６】
上記のようにして各回収容器２からクローズドコンテナ１２と各集積容器１０に移されたじん芥は、じん芥収集運搬業者などの搬送トラックＴｒによって最終処分場へ搬送される一方、空になった各回収容器２は、すべて下位搬送手段７ｂから第二昇降装置１１ｂに送られ、そこから上位搬送手段７ａの返送用コンベア７ｃに返送用コンベア７ｃに戻され、移載装置として機能する垂直搬送手段５が具備した第二の積降し機構５２によりカゴ５ａに積込まれ、この垂直搬送手段５によって各収集容器２が帰属する階の移載セット部４に戻される。これに対しオープンコンテナ１５にじん芥を移した回収容器２は、そこでターンテーブル７ｄによって方向を変え返送用コンベア７ｃに移される。下位の搬送手段７ｂの渋帯回避のためである。
【００２７】
上記例において、回収容器２の不具合を発見した場合、或は、ビンの回収において回収したビンを色別に分けたい場合などには、これらの回収容器２は第二昇降装置１１ｂの脇に形成された下位搬送手段７ｂの出口ステーションに搬出し、そこで人手によりライン外に取出されるようにしている。ここで、データ読取り不能又は不良のため内容物が判別できなかった回収容器２については、作業員がじん芥の内容を確認してそのデータを操作盤からマニュアル入力することにより、下位搬送手段７ｂから第二昇降装置１１ｂを経由して上位搬送手段７ａに戻す。また、ガラスビンの色分け分別は、人手により行いつつ全部のビンを分別して取出し、空にした収集容器２も、上記と同容量で上位搬送手段７ａに戻す。
【００２８】
以上に説明した本発明システムでは、各階の移載セット部４と水平搬送手段７の中の第一昇降装置１１ａの脇に設定される第一ステーションＳ１、及び、第二昇降装置１１ｂの脇に設定される第二ステーションＳ２に、夫々に受送信操作盤を配置すると共に、前記の垂直搬送手段５，水平搬送手段７，各反転手段９，専用反転機１３，２つの昇降装置１１ａ，１１ｂの夫々の動作状態を監視，制御するためにこれらの機器のセンサや駆動源と前記操作盤に接続された運行監視盤と中央制御部が設けられていることにより、本発明システムを構成する部材，機器類の駆動源の制御がなされる。
【００２９】
【発明の効果】
本発明は以上の通りであって、じん芥を分別収集する等の一連の作業の合理化，省力化を可能にするオフィスビル内の分別じん芥の集積処理システムを提供するために、このシステムを、じん芥を分別して回収するためオフィスビルの各階に配備される回収容器であってこの容器はキャスタ等の走行手段を具備すると共に、じん芥の分別を視覚的に表示する分別表示とこの表示内容を含み所属階などのデータを読取可能に記録した記録媒体とを具備した複数のじん芥回収容器と、前記ビルの各階ごとに配置された前記容器を積み降しするため進退動作をする前記容器の積降し機構を具備し当該ビルの所定の階に設定されたじん芥集積場所と各階の間で前記回収容器を垂直方向で搬送する垂直搬送手段と、前記ビルの各階において前記垂直搬送手段へ前記回収容器を積み降ろしするため各階の当該搬送手段への積み降し口に設けた回収容器の移載セット部と、前記回収容器単位でじん芥を集積するためのじん芥集積場所に設置されると共に前記垂直搬送手段との間で回収容器を移載する水平搬送手段と、分別じん芥の種類に対応して前記水平搬送手段の中に複数個が配設された前記回収容器を保持して反転させ、中のじん芥を排出する反転手段と、前記反転手段の下に各分別じん芥ごとに配置された分別じん芥の集積容器を備えさせてシステムを構成し、作業員が前記ビルの各階において分別されたじん芥回収容器を各階の移載セット部にセットすると、各回収容器内が自動的に垂直搬送、並びに、水平搬送され、かつ、前記反転手段の動作により各回収容器内の分別じん芥が夫々の集積容器に自動的に収容される一方、空になった各回収容器は自動的にそれぞれが帰属する元の階の移載セット部に自動的に戻されるように構成したから、オフィスビル等のビルの各階で分別して収集される各種のじん芥を入れた収集容器を人手により各階の移載セット部にセットして垂直搬送手段を呼べば、自動的に各回収容器が空にされて元のセット部に戻って来るので、分別じん芥の回収作業を大幅な合理化，省力化を達成することができる。
【００３０】
また、作業員が少人数で効率よく複数階分を分担できるように、各階の移載セット部に回収容器の送受信状態、つまり搬送状況を各階の移載セット部で確認できるように運行監視盤を設けているので、作業効率も良くなる。更に、オフィスビルの地下等に設置された分別じん芥の集積場所も、上記の垂直搬送手段によって逐次自動搬入される各収集容器の中のじん芥をほぼ自動的に集積容器に移し変えてしまうので、ここでの作業も大幅な合理化，省力化を図ることができる。
【００３１】
従って、本発明システムは大量の各種じん芥が日々に大量に排出される大型オフィスビルに適用することにより、上記省力化，合理化の効果をより顕著に享受することができる。
【図面の簡単な説明】
【図１】本発明分別じん芥の集積処理システムの適用例を模式的に示した側面図。
【図２】図１の本発明システムの動作を説明するための動作フロー図。
【図３】本発明システムに用いる分別じん芥の回収容器の一例の左半部を断面にした正面図。
【図４】図３の回収容器の移載セット部の平面図。
【図５】垂直搬送手段におけるカゴの概要を示す正面図。
【図６】カゴ内部の概要を示す平面図。
【図７】反転手段の一例の側面図。
【図８】図７の反転手段の正面図。
【図９】専用反転手段の側面図。
【符号の説明】
１　　　　　オフィスビル
２　　　　　回収容器
３　　　　　ゴミ置場
４　　　　　移載セット部
５　　　　　垂直搬送手段
６　　　　　分別じん芥集積場所
７　　　　　水平搬送手段
９　　　　　回収容器の反転手段
１０　　　　　集積容器
１１ａ，１１ｂ　　第一，第二昇降装置
１２　　　　　クローズドコンテナ
１３　　　　　専用反転機
１４　　　　　圧縮機
１５　　　　　オープンコンテナ
１５ａ　　　　　傾斜コンベア
【図１】
2004026329.tif 000003
【図２】
2004026329.tif 000004
【図３】
2004026329.tif 000005
【図４】
2004026329.tif 000006
【図５】
2004026329.tif 000007
【図６】
2004026329.tif 000008
【図７】
2004026329.tif 000009
【図８】
2004026329.tif 000010
【図９】
2004026329.tif 000011